(57)【要約】  電池交換を容易に行うことができる電子体温計を提供することを目的とする。本発明は、被検者の体温を測定する電子体温計１００を収納する収納ケース１１０であって、電子体温計１００は、内蔵された電池部分を覆う尾部ハウジング１０４と、該電池部分以外の領域を覆う本体ハウジング１０１とを有しており、収納ケース１１０は、尾部ハウジング１０４を本体ハウジング１０１に固定するための螺合部材２０１を、固定位置と非固定位置との間で動作させるための螺合冶具１１５を有しており、螺合冶具１１５は、螺合部材２０１の頭部の形状または頭部に設けられた溝の形状に適合した断面形状を有していることを特徴とする。
2014049632.tif 000002
【特許請求の範囲】
【請求項１】
被検者の体温を測定する電子体温計を収納する収納ケースであって、
前記電子体温計は、内蔵された電池部分を覆う第１のハウジングと、該電池部分とは異なる領域を覆う第２のハウジングとを有しており、
前記収納ケースは、
前記第１のハウジングと前記第２のハウジングとを固定するための固定部材を、固定位置と非固定位置との間で動作させるための冶具を有しており、
前記冶具は、
前記固定部材の頭部の形状または頭部に設けられた溝の形状、あるいは、前記固定部材を動作させる際に挿入される前記第２のハウジングの孔の形状に適合した断面形状を有していることを特徴とする収納ケース。
【請求項２】
前記固定部材は、回動することにより、固定位置と非固定位置との間を移動し、
前記冶具は、前記収納ケースの長軸方向の端部に設けられていることを特徴とする請求項１に記載の収納ケース。
【請求項３】
前記固定部材は、前記第１のハウジングに螺合される螺合部材であることを特徴とする請求項２に記載の収納ケース。
【請求項４】
前記固定部材は、前記第１のハウジングに設けられた嵌合溝に嵌合される嵌合部材であることを特徴とする請求項２に記載の収納ケース。
【請求項５】
前記固定部材は、前記第１のハウジングが前記第２のハウジングに取り付けられた状態で、該第２のハウジングに設けられた係止孔に係止されるように配置されていることを特徴とする請求項１に記載の収納ケース。
【請求項６】
前記固定部材は、前記係止孔に係止される方向に付勢されていることを特徴とする請求項５に記載の収納ケース。
【請求項７】
前記孔は、前記第２のハウジングにおいて、前記係止孔に連通されており、
前記冶具は、前記孔の形状に適合するよう形成され、該冶具が該孔に挿入されることで、前記係止孔に係止された前記固定部材を非固定位置まで動作させることができるように構成されていることを特徴とする請求項６に記載の収納ケース。
【請求項８】
被検者の体温を測定する電子体温計を収納する収納ケースであって、
前記電子体温計は、内蔵された電池部分を覆う第１のハウジングと、該電池部分とは異なる領域を覆う第２のハウジングとを有しており、
前記収納ケースは、
前記第１のハウジングを前記第２のハウジングに固定するために、該第１のハウジングを、固定位置と非固定位置との間で動作させるための冶具を有しており、
前記冶具は、
前記第１のハウジングの表面に設けられた溝の形状に適合した形状を有していることを特徴とする収納ケース。
【発明の詳細な説明】
【技術分野】
【０００１】
本発明は、電子体温計の収納ケースに関するものである。
【背景技術】
【０００２】
被検体の体温を測定するための体温計として、現在、電子体温計が広く普及している。電子体温計には、通常、温度センサと、当該温度センサにより検出された温度に基づいて、被検体の体温を算出する回路基板と、当該回路基板に電源を供給する電池とが搭載されている。【０００３】
このうち、電池は消耗品であるため、必要に応じてユーザが交換できるよう、着脱可能に取り付けられている。具体的には、ハウジングの一部（電池蓋）を取り外すことで、電池が搭載された領域が露出されるように構成されており、これにより、ユーザは、使用済みの電池を簡単に交換することができる。
【先行技術文献】
【特許文献】
【０００４】
【特許文献１】特開２００１−６６１９１号公報
【発明の概要】
【発明が解決しようとする課題】
【０００５】
一方で、上述のような電池交換が可能な電子体温計の場合、電池蓋が簡単に外せる構造となっていたのでは、測定中に電池が脱落したり、幼児等が電池を誤飲してしまうといった恐れがある。【０００６】
このため、電池蓋は、所定の工具（例えば、ドライバ等）を使用して、ねじ等の螺合部材を用いて固定される構造となっていることが望ましい。【０００７】
しかしながら、電池交換のたびに、ユーザが電池蓋の螺合部材に適合する工具を準備しなければならないとすると、ユーザにとっては著しく利便性が損なわれることとなる。【０００８】
このようなことから、電子体温計においては、電池蓋が簡単に外れにくい構造を備えつつ、かつ、電池交換が容易に行える構成であることが望ましい。【０００９】
本発明は上記課題に鑑みてなされてものであり、電池の交換作業を容易に行うことができる電子体温計を提供することを目的とする。
【課題を解決するための手段】
【００１０】
上記の目的を達成するために本発明に係る電子体温計の収納ケースは以下のような構成を備える。即ち、
被検者の体温を測定する電子体温計を収納する収納ケースであって、
前記電子体温計は、内蔵された電池部分を覆う第１のハウジングと、該電池部分とは異なる領域を覆う第２のハウジングとを有しており、
前記収納ケースは、
前記第１のハウジングと前記第２のハウジングとを固定するための固定部材を、固定位置と非固定位置との間で動作させるための冶具を有しており、
前記冶具は、
前記固定部材の頭部の形状または頭部に設けられた溝の形状、あるいは、前記固定部材を動作させる際に挿入される前記第２のハウジングの孔の形状に適合した断面形状を有していることを特徴とする。
【発明の効果】
【００１１】
本発明によれば、電池交換を容易に行うことができる電子体温計を提供することが可能となる。【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施の形態を示し、その記述と共に本発明の原理を説明するために用いられる。
【図１】図１は、電子体温計１００及びその収納ケース１１０を正面及び側面から見た場合の外観構成を示す図である。
【図２】図２は、電子体温計１００の尾部ハウジング１０４の取り付け及び取り外し方法を示す図である。
【図３】図３は、電子体温計１００の尾部ハウジング１０４を固定するための構造を示す図である。
【図４】図４は、収納ケース１１０による、尾部ハウジング１０４の固定及び解除の方法を説明するための図である。
【図５】図５は、収納ケース５１０の正面、側面及び上面から見た場合の外観構成を示す図である。
【図６】図６は、電子体温計６００の尾部ハウジング６０４の取り付け及び取り外し方法を示す図である。
【図７】図７は、電子体温計６００の尾部ハウジング６０４を固定するための構造を示す図である。
【図８】図８は、収納ケース５１０による、尾部ハウジング６０４の固定及び解除の方法を説明するための図である。
【図９】図９は、収納ケース９１０の正面、側面及び上面から見た場合の外観構成を示す図である。
【図１０】図１０は、電子体温計１０００の尾部ハウジング１００４の取り付け及び取り外し方法を示す図である。
【図１１】図１１は、電子体温計１０００の尾部ハウジング１００４を固定するための構造を示す図である。
【図１２】図１２は、収納ケース９１０による、尾部ハウジング１００４の固定解除の方法を説明するための図である。
【図１３】図１３は、電子体温計１３００の電池ハウジング１３０２を取り付けまたは取り外す様子を示した図である。
【発明を実施するための形態】
【００１４】
以下、必要に応じて添付図面を参照しながら本発明の各実施形態の詳細を説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
［第１の実施形態］
＜１．電子体温計及び収納ケースの外観構成＞
図１は、電子体温計１００及び電子体温計１００を収納する、本発明の第１の実施形態に係る収納ケース１１０を正面及び側面から見た場合の外観構成を示す図である。
【００１６】
図１において、１０１は電子体温計１００の本体ハウジングであり、１０２はエンドキャップである。エンドキャップ１０２は、内蔵された温度計測部に対して被検者の体温が伝導しやすいように、ステンレスなどの金属により被覆されている。１０３は体温測定結果として体温データ等を表示する表示部である。１０４は尾部ハウジングであり、本体ハウジング１０１に対して着脱可能に取り付けられている。
【００１７】
なお、電子体温計１００では、尾部ハウジング１０４が本体ハウジング１０１から取り外されることにより、内蔵された電池が外部に露出するよう構成されており、これにより、ユーザは、必要に応じて電池交換を行うことができる。
【００１８】
１１１は収納ケース１１０の本体部であり、１１２は本体部１１１の上部を覆う蓋部である。蓋部１１２は回動部１１３を介して本体部１１１に接続されており、これにより、蓋部１１２は矢印１１４方向に回動する。
【００１９】
本体部１１１の側面の長軸方向の上端付近には、螺合冶具１１５（本実施形態では六角レンチ）が取り付けられており、ユーザは本体部１１１に取り付けられた螺合冶具１１５を用いることにより、尾部ハウジング１０４を本体ハウジング１０１に固定するための螺合部材（本実施形態では六角ねじ。詳細は後述）を締めたり、緩めたりすることができる。
【００２０】
＜２．尾部ハウジングの取り付け及び取り外し＞
次に、電子体温計１００の尾部ハウジング１０４の取り付け及び取り外し方法について説明する。図２は、電子体温計１００の尾部ハウジング１０４の取り付け及び取り外し方法を説明するための図である。
【００２１】
このうち、図２の２Ａは、尾部ハウジング１０４が取り付けられた状態を、電子体温計１００の裏面側から見た場合の外観構成を示している。図２の２Ａに示すように、電子体温計１００の裏面側には、本体ハウジング１０１に取り付けられた尾部ハウジング１０４を、本体ハウジング１０１に固定するために、螺合部材２０１と、該螺合部材２０１を貫通させるための貫通孔２０２とが設けられている。
【００２２】
図２の２Ｂは、螺合部材２０１を取り外した後、尾部ハウジング１０４を本体ハウジング１０１から取り外した様子を示している。図２の２Ｂに示すように、尾部ハウジング１０４には、螺合部材２０１が螺合される螺合孔２０３が設けられている。螺合孔２０３は、尾部ハウジング１０４を本体ハウジング１０１に取り付けた際に、貫通孔２０２と合致する位置に設けられている。また、尾部ハウジング１０４には、本体ハウジング１０１内の液密性を保つためのパッキン２０６が設けられている。パッキン２０６は、貫通孔２０２からの液体の浸入を防ぐために、尾部ハウジング１０４を本体ハウジング１０１に取り付けた際の位置が、貫通孔２０２よりも先端側にくるように配置されている。
【００２３】
更に、図２の２Ｂに示すように、尾部ハウジング１０４が取り外されると、本体ハウジング１０１の尾部側は、回路基板２０４のうち、電池２０５が搭載された領域（電池部分）が外部に露出した状態となる。これにより、ユーザは、電池２０５を容易に交換することができる。
【００２４】
＜３．尾部ハウジングを固定するための構造＞
次に、電子体温計１００の尾部ハウジング１０４を本体ハウジング１０１に固定するための構造について、図３を用いて詳説する。図３は、電子体温計１００の尾部ハウジング１０４を固定するための構造を示す図である。
【００２５】
図３に示すように、尾部ハウジング１０４が本体ハウジング１０１に取り付けられた状態では、貫通孔２０２と螺合孔２０３の位置とは互いに一致しているため、螺合部材２０１は、本体ハウジング１０１の貫通孔２０２を介して、尾部ハウジング１０４の螺合孔２０３に螺合することができる。このように螺合部材２０１により螺合されることにより、本体ハウジング１０１と尾部ハウジング１０４とは、互いに強固に固定されることとなる。
【００２６】
＜４．尾部ハウジングの固定及び解除の方法＞
次に、尾部ハウジング１０４の固定及び解除の方法について説明する。図４は、尾部ハウジング１０４の固定及び解除の方法を説明するための図である。
【００２７】
図４に示すように、電子体温計１００では、尾部ハウジング１０４の固定及び解除を行うにあたり、収納ケース１１０を利用する。
【００２８】
図４の４Ａは、収納ケース１１０の螺合冶具１１５（本実施形態では、六角レンチ）を螺合部材２０１（本実施形態では、六角ねじ）の頭部に設けられた挿入溝（本実施形態では、六角溝）に挿入させる様子を示している。図４の４Ａに示すように、収納ケース１１０の側面を矢印４０１方向に移動させることで、螺合冶具１１５の先端を、螺合部材２０１の頭部の挿入溝に挿入させることができる。
【００２９】
図４の４Ｂは、収納ケース１１０を用いて、螺合部材２０１を締める（または緩める）動作を行った様子を示している。
【００３０】
図４の４Ｂに示すように、螺合冶具１１５の先端が、螺合部材２０１の頭部の挿入溝に挿入された状態で、収納ケース１１０の底面側を矢印４０２方向に回動させることで、螺合部材２０１を締めたり、緩めたりすることができる（つまり、螺合部材２０１を固定位置と非固定位置との間で動作させることができる）。
【００３１】
上述したように、螺合冶具１１５は、収納ケース１１０の側面の長軸方向の上端付近に配置されているため、螺合冶具１１５が螺合部材２０１の頭部の挿入溝に挿入された状態で、収納ケース１１０の底面側を操作した場合、収納ケース１１０の回動中心から操作位置までの距離Ｌを大きくとることができる。つまり、ユーザは、少ない力で、螺合部材２０１を締めたり緩めたりすることができる。
【００３２】
以上の説明から明らかなように、本実施形態では、収納ケース１１０の側面の長軸方向の上端付近に螺合冶具を配する構成とした。
【００３３】
これにより、ユーザは、電池交換のたびに所定の工具を準備しなくても、収納ケース１１０に配された螺合冶具を用いることで、本体ハウジング１０１と尾部ハウジング１０４とを固定するための螺合部材２０１を、容易に、締めたり緩めたりすることが可能となる。つまり、電池交換を容易に行うことができるようになる。
【００３４】
なお、本実施形態では、螺合部材２０１の一例として六角ねじを挙げたが、ねじの種類はこれに限定されず、頭部形状や挿入溝の形状及び大きさとして任意のものが適用可能であることはいうまでもない。
【００３５】
［第２の実施形態］
上記第１の実施形態では、本体ハウジング１０１と尾部ハウジング１０４とを固定するための固定部材として、ねじ等の螺合部材を用いる構成としたが、本発明はこれに限定されない。例えば、尾部ハウジング１０４に設けられた嵌合溝に嵌合させる嵌合部材を用いることにより、本体ハウジング１０１と尾部ハウジング１０４とを固定する構成としてもよい。以下、本実施形態の詳細について説明する。
【００３６】
＜１．収納ケースの外観構成＞
図５は、電子体温計を収納する、本発明の第２の実施形態に係る収納ケース５１０を正面、側面、及び上面から見た場合の外観構成を示す図である。
【００３７】
図５において、５１１は収納ケース５１０の本体部であり、１１２は本体部５１１の上部を覆う蓋部である。蓋部１１２は回動部１１３を介して本体部５１１に接続されており、これにより、蓋部１１２は矢印１１４方向に回動する。
【００３８】
本体部５１１の側面の長軸方向の上端付近には、半円形の嵌合冶具５１５が取り付けられており、ユーザは本体部５１１に取り付けられた当該嵌合冶具５１５を用いることにより、尾部ハウジングを本体ハウジングに固定するための固定部材である嵌合部材（詳細は後述）を、嵌合位置（固定位置）と非嵌合位置（非固定位置）との間で動作させることができる。
【００３９】
＜２．尾部ハウジングの取り付け及び取り外し＞
次に、電子体温計の尾部ハウジングの取り付け及び取り外し方法について説明する。図６は、電子体温計の尾部ハウジングの取り付け及び取り外し方法を説明するための図である。
【００４０】
このうち、図６の６Ａは、尾部ハウジング６０４が取り付けられた状態を、電子体温計６００の裏面側から見た場合の外観構成を示している。図６の６Ａに示すように、電子体温計６００の裏面側には、本体ハウジング６０１に取り付けられた尾部ハウジング６０４を、本体ハウジング６０１に固定するために、嵌合部材６０５と、該嵌合部材６０５を貫通させるための貫通孔６０２とが設けられている。
【００４１】
図６の６Ｂは、嵌合部材６０５を非嵌合位置まで回動させた後、尾部ハウジング６０４を本体ハウジング６０１から取り外した様子を示している。図６の６Ｂに示すように、尾部ハウジング６０４には、嵌合部材６０５が嵌合される嵌合溝６０３が設けられている。嵌合溝６０３は、尾部ハウジング６０４を本体ハウジング６０１に取り付けた際に、嵌合部材６０５よりも先端側に位置するように配置されており、嵌合部材６０５が嵌合されることにより、尾部ハウジング６０４の取り外し方向の動作が規制される。
【００４２】
なお、図６の６Ｂに示すように、嵌合部材６０５が非嵌合位置まで回動され尾部ハウジング６０４が取り外されると、本体ハウジング６０１の尾部側は、回路基板２０４のうち、電池２０５が搭載された領域（電池部分）が外部に露出した状態となる。これにより、ユーザは、電池２０５を容易に交換することができる。
【００４３】
＜３．尾部ハウジングを固定するための構造＞
次に、電子体温計６００の尾部ハウジング６０４を本体ハウジング６０１に固定するための構造について、図７を用いて詳説する。図７は、電子体温計６００の尾部ハウジング６０４を固定するための構造を示す図である。
【００４４】
図７に示すように、本体ハウジング６０１の裏面側に設けられた貫通孔６０２には、嵌合部材６０５が貫通しており、尾部ハウジング６０４が本体ハウジング６０１に取り付けられた後に、嵌合部材６０５が回動されることにより、嵌合部材６０５の先端は、尾部ハウジング６０４の嵌合溝６０３に嵌合されることとなる。これにより、尾部ハウジング６０４の取り外し方向の動作が規制され、本体ハウジング６０１と尾部ハウジング６０４とは、互いに強固に固定されることとなる。
【００４５】
＜４．尾部ハウジングの固定及び解除の方法＞
次に、尾部ハウジング６０４の固定及び解除の方法について説明する。図８は、尾部ハウジング６０４の固定及び解除の方法を説明するための図である。
【００４６】
図８に示すように、電子体温計６００では、尾部ハウジング６０４の固定及び解除を行うにあたり、収納ケース５１０を利用する。
【００４７】
図８の８Ａは、収納ケース５１０の嵌合冶具５１５を嵌合部材６０５の頭部に設けられた挿入溝に挿入させる様子を示している。図８の８Ａに示すように、収納ケース５１０の側面を矢印８０１方向に移動させることで、嵌合冶具５１５の先端を、嵌合部材６０５の頭部の挿入溝（本実施形態では直線状の溝）に挿入させることができる。
【００４８】
図８の８Ｂは、収納ケース５１０を用いて、嵌合部材６０５を嵌合位置と非嵌合位置との間で動作させた様子を示している。
【００４９】
図８の８Ｂに示すように、嵌合冶具５１５の先端が、嵌合部材６０５の頭部の挿入溝に挿入された状態で、収納ケース５１０の底面側を矢印８０２方向に回動させることで、嵌合部材６０５を嵌合位置と非嵌合位置との間で動作させることができる。
【００５０】
上述したように、嵌合冶具５１５は、収納ケース５１０の側面の長軸方向の上端付近に配置されているため、嵌合冶具５１５が嵌合部材６０５の頭部の挿入溝に挿入された状態で、収納ケース５１０の底面側を操作した場合、収納ケース５１０の回動中心から操作位置までの距離Ｌを大きくとることができる。つまり、ユーザは、少ない力で、嵌合部材６０５を、嵌合位置と非嵌合位置との間で動作させることができる。
【００５１】
以上の説明から明らかなように、本実施形態では、収納ケース５１０の側面の長軸方向の上端付近に嵌合冶具を配する構成とした。
【００５２】
これにより、ユーザは、電池交換のたびに所定の工具を準備しなくても、収納ケース５１０に配された嵌合冶具を用いることで、本体ハウジング６０１と尾部ハウジング６０４とを固定するための嵌合部材６０５を、容易に、動作させることが可能となる。つまり、電池交換を容易に行うことができるようになる。
【００５３】
なお、本実施形態では、嵌合部材６０５の頭部の挿入溝として、直線状の溝を挙げたが、挿入溝の形状はこれに限定されるものではない。同様に、嵌合部材６０５が嵌合される嵌合溝６０３の位置及び形状も、本実施形態において説明した位置及び形状に限定されるものではない。
【００５４】
［第３の実施形態］
上記第２の実施形態では、嵌合部材を本体ハウジング側に、嵌合溝を尾部ハウジング側にそれぞれ設け、嵌合部材を嵌合溝に嵌合させることで、尾部ハウジングの取り外し方向の動作を規制する構成としたが、本発明はこれに限定されない。例えば、係止部材を尾部ハウジング側に設け、本体ハウジング側に当該係止部材を係止させるための係止孔を設ける構成としてもよい。以下、本実施形態の詳細について説明する。
【００５５】
＜１．収納ケースの外観構成＞
図９は、電子体温計を収納する、本発明の第３の実施形態に係る収納ケース９１０を正面、側面、及び上面から見た場合の外観構成を示す図である。
【００５６】
図９において、９１１は収納ケース９１０の本体部であり、１１２は本体部９１１の上部を覆う蓋部である。蓋部１１２は回動部１１３を介して本体部９１１に接続されており、これにより、蓋部１１２は矢印１１４方向に回動する。
【００５７】
本体部９１１の側面の長軸方向の上端付近には、断面形状が十字型の係止冶具９１５が取り付けられており、ユーザは本体部９１１に取り付けられた当該係止冶具９１５を用いることにより、尾部ハウジングを本体ハウジングに固定するための固定部材である係止部材（詳細は後述）を、非係止位置に移動させることができる。
【００５８】
＜２．尾部ハウジングの取り付け及び取り外し＞
次に、電子体温計の尾部ハウジングの取り付け及び取り外し方法について説明する。図１０は、電子体温計の尾部ハウジング１００４の取り付け及び取り外し方法を説明するための図である。
【００５９】
このうち、図１０の１０Ａは、尾部ハウジング１００４が取り付けられた状態を、電子体温計１０００の裏面側から見た場合の外観構成を示す図である。図１０の１０Ａに示すように、本体ハウジング１００１には、尾部ハウジング１００４を本体ハウジング１００１に固定させるべく尾部ハウジング１００４に設けられた係止部材を、非係止位置に移動させる際に挿入される十字型の操作孔１００５が設けられている。なお、操作孔１００５の背面には、更に、係止部材を係止させるための係止孔が配されており、操作孔１００５は当該係止孔に連通している。
【００６０】
図１０の１０Ｂは、係止部材を非係止位置まで移動させた後、尾部ハウジング１００４を本体ハウジング１００１から取り外した様子を示している。図１０の１０Ｂに示すように、尾部ハウジング１００４には、係止部材１００３が設けられている。係止部材１００３は、尾部ハウジング１００４を本体ハウジング１００１に取り付けた際に、操作孔１００５の背面に設けられた係止孔の位置にくるように配置されており、係止部材１００３が係止孔により係止されることで、尾部ハウジング１００４の取り外し方向の動作が規制される。
【００６１】
なお、図１０の１０Ｂに示すように、尾部ハウジング１００４が取り外されると、本体ハウジング１００１の尾部側は、回路基板２０４のうち、電池２０５が搭載された領域（電池部分）が外部に露出した状態となる。これにより、ユーザは、電池２０５を容易に交換することができる。
【００６２】
＜３．尾部ハウジングを固定するための構造＞
次に、電子体温計１０００の尾部ハウジング１００４を本体ハウジング１００１に固定するための構造について、図１１を用いて詳説する。図１１は、電子体温計１０００の尾部ハウジング１００４を固定するための構造を示す図である。
【００６３】
図１１の拡大表示１１００に示すように、係止部材１００３は、ばね等の弾性部材１１０１により紙面上側（電子体温計１０００の裏面側）に向かって付勢されている。このため、尾部ハウジング１００４が本体ハウジング１００１に取り付けられた状態（つまり、係止部材１００３の位置と係止孔１１０２の位置とが一致した状態）では、係止部材１００３は、係止位置（固定位置）まで移動し、係止孔１１０２によって係止される。これにより、尾部ハウジング１００４の取り外し方向の動作が規制され、本体ハウジング１００１と尾部ハウジング１００４とは、互いに強固に固定されることとなる。
【００６４】
一方、図１１の拡大表示１１１０に示すように、係止部材１００３が係止孔１１０２に係止された状態で、係止冶具９１５を操作孔１００５に挿入し、係止冶具９１５の先端が付勢方向に反して係止部材１００３を押圧すると、係止部材１００３は、非係止位置（非固定位置）まで移動する。これにより、尾部ハウジング１００４は取り外し方向に移動可能な状態となる。
【００６５】
＜４．尾部ハウジングの固定解除の方法＞
次に、尾部ハウジング１００４の固定解除の方法について説明する。図１２は、尾部ハウジング１００４の固定解除の方法を説明するための図である。
【００６６】
図１２に示すように、電子体温計１０００では、尾部ハウジング１００４の固定解除を行うにあたり、収納ケース９１０を利用する。
【００６７】
図１２は、収納ケース９１０の係止冶具９１５を、操作孔１００５に挿入させる様子を示している。図９及び図１０において説明したとおり、収納ケース９１０の係止冶具９１５及び操作孔１００５は、それぞれ十字型を有しており、互いの向きを一致させた状態で、矢印１２０１方向に移動させると、係止冶具９１５の先端は、操作孔１００５に挿入されることとなる。
【００６８】
係止冶具９１５の先端を、操作孔１００５に挿入させた状態で、係止冶具９１５を更に矢印１２０１方向に移動させ、係止部材１００３を押圧することにより、係止部材１００３は非係止位置まで移動する（つまり、尾部ハウジング１００４の固定が解除される）。この結果、尾部ハウジング１００４を取り外すことが可能となる。
【００６９】
以上の説明から明らかなように、本実施形態では、収納ケース９１０に係止冶具９１５を配する構成とした。
【００７０】
これにより、ユーザは、電池交換のたびに所定の工具を準備しなくても、収納ケース９１０に配された係止冶具を用いることで、尾部ハウジング１００４の固定を、容易に、解除することが可能となる。つまり、電池交換を容易に行うことができるようになる。
【００７１】
なお、本実施形態では、操作孔１００５の形状として十字型を挙げたが、操作孔１００５の形状はこれに限定されるものではなく、係止冶具９１５の断面形状に適合した形状であれば、任意の形状によって形成されてもよいことはいうまでもない。
【００７２】
［第４の実施形態］
上記第１乃至第３の実施形態では、冶具（螺合冶具、嵌合冶具、係止冶具）を、収納ケースの本体部の側面の長軸方向の上端付近に配置した場合について説明したが、本発明はこれに限定されず、当該冶具の位置は、収納ケースの本体部の長軸方向の端部近傍であれば、いずれの位置であってもよい。例えば、蓋部を全開することで、外部に露出する位置（例えば、ヒンジ部分）に配置されていてもよい。
【００７３】
また、上記第１乃至第３の実施形態では、収納ケースの材質について特に言及しなかったが、例えば、透明または半透明の材質により構成されていてもよい。透明または半透明の材質で構成することにより、尾部ハウジングの固定解除の際に、冶具の位置を視認できるため、冶具の位置決めが容易となるからである。なお、冶具の位置決めを容易にするためには、収納ケースにマーカを設けるようにしてもよい。
【００７４】
また、上記第１の実施形態では、螺合冶具及び螺合部材の材質について特に言及しなかったが、例えば、螺合冶具と螺合部材は、磁性体により構成してもよい。磁性体により構成することで、尾部ハウジングの固定を解除した際に、螺合部材を螺合冶具に結合させておくこと可能となり、螺合部材を紛失するといった事態を回避することができるからである。
【００７５】
［第５の実施形態］
上記第１乃至第４の実施形態では、電子体温計の収納ケースとして蓋部を有する収納ケースについて説明したが、本発明はこれに限定されず、蓋部を有していない収納ケースであってもよい。
【００７６】
また、上記第１乃至第４の実施形態では、尾部ハウジング１０４を固定するための固定部材を別途設ける構成としたが、本発明はこれに限定されない。例えば、電池が本体ハウジング１０１の長手方向中央位置に内蔵され、当該内蔵された電池を覆う電池ハウジングが対応する位置に配されている場合にあっては、当該電池ハウジング自体が螺合部材または嵌合部材としての機能を有していてもよい。以下、図１３を参照しながら、本発明の第５の実施形態について説明する。
【００７７】
図１３は、電子体温計１３００の電池ハウジング１３０２を取り付けまたは取り外す様子を示した図である。図１３の１３Ｂに示すように、電子体温計１３００は、本体ハウジング１３０１の裏面側に、内蔵された電池を覆うための電池ハウジング１３０２を備えており、当該電池ハウジング１３０２を取り外すことにより、内蔵された電池が外部に露出する構成となっている。これにより、ユーザは、必要に応じて電池交換を行うことができる。
【００７８】
なお、電池ハウジング１３０２の外周部には、不図示の螺合溝が設けられており、本体ハウジング１３０１に設けられた螺合孔に螺合することにより、電池ハウジング１３０２は、本体ハウジング１３０１に固定されることとなる。
【００７９】
図１３の１３Ａは、電池ハウジング１３０２を本体ハウジング１３０１に固定するために、電池ハウジング１３０２を締めたり、緩めたりするための螺合冶具１３１１を有する収納ケース１３１０の外観構成を示す図である。
【００８０】
図１３の１３Ａに示すように、螺合冶具１３１１は、収納ケース１３１０の長軸方向の端部に設けられており、電池ハウジング１３０２の表面に設けられた挿入溝（本実施形態では、直線状の溝）１３０３に挿入可能な形状を有している。
【００８１】
これにより、図１３の１３Ｂに示すように、螺合治具１３１１を電池ハウジング１３０２の挿入溝１３０３に挿入した状態で、収納ケース１３１０を回転させることで、電池ハウジング１３０２を、締めたり緩めたりすることが可能となる。
【００８２】
本発明は上記実施の形態に制限されるものではなく、本発明の精神及び範囲から離脱することなく、様々な変更及び変形が可能である。従って、本発明の範囲を公にするために、以下の請求項を添付する。
【図１】
2014049632.tif 000003
【図２】
2014049632.tif 000004
【図３】
2014049632.tif 000005
【図４】
2014049632.tif 000006
【図５】
2014049632.tif 000007
【図６】
2014049632.tif 000008
【図７】
2014049632.tif 000009
【図８】
2014049632.tif 000010
【図９】
2014049632.tif 000011
【図１０】
2014049632.tif 000012
【図１１】
2014049632.tif 000013
【図１２】
2014049632.tif 000014
【図１３】
2014049632.tif 000015
【国際調査報告】
2014049632.tif 000016
2014049632.tif 000017